(57)【要約】【課題】蒸気と高周波の両方を用いて調理する際に、高周波の漏波が生じない蒸気発生機能付高周波調理器を提供する。【解決手段】加熱室１０３に設けられた蒸発皿１０９と、加熱室の壁を貫通して前記蒸発皿に水を供給する供給管２３と、供給管から前記蒸発皿への水の供給を制御する水供給制御手段２２と、加熱室に高周波を供給する高周波発生手段１０４と、前記水供給制御手段及び高周波発生手段を制御する制御部２２とを備え、前記制御部４０は水供給手段を動作させて蒸発皿に水供給を行う際には前記高周波発生手段１０４の動作を停止させる構成としたものである。この構成により、蒸発皿に水を供給する際には加熱室の壁を貫通して設けられている供給管内に水が充満していても高周波が供給されていないので、漏波することはなく、蒸気量を多くしつつ漏波を防止することができる。【選択図】図１
2008249167.tif 000002
【特許請求の範囲】
【請求項１】
加熱室と、前記加熱室に設けられた蒸発皿と、前記加熱室の壁を貫通して前記蒸発皿に水を供給する供給管と、前記供給管から前記蒸発皿への水の供給を制御する水供給制御手段と、前記加熱室に高周波を供給する高周波発生手段と、前記水供給制御手段及び高周波発生手段を制御する制御部とを備え、前記制御部は水供給手段を動作させて蒸発皿に水供給を行う際には前記高周波発生手段の動作を停止させる構成とした蒸気発生機能付高周波調理器。
【請求項２】
加熱室と、前記加熱室に設けられた蒸発皿と、前記加熱室の壁を貫通して前記蒸発皿に水を供給する供給管と、前記加熱室に高周波を供給する高周波発生手段とを備え、前記供給管は前記加熱室の壁からの突出寸法を２５ｍｍ以下とした蒸気発生機能付高周波調理器。
【発明の詳細な説明】
【技術分野】
【０００１】
本発明は、蒸気を用いて被加熱物を加熱する蒸気発生機能付高周波調理器に関するものである。
【背景技術】
【０００２】
従来、蒸気を用いて調理することができる高周波調理器が知られている（例えば特許文献１参照）。
【０００３】
図８に示すように、特許文献１に記載の蒸気発生機能付高周波調理器１００は高周波と水蒸気との少なくともいずれかを供給して被加熱物を加熱処理するものであり、前面が開口した矩形箱状の本体１０１を有し、前面の開口には開閉扉１０２が設けられている。本体１０１内部には加熱室１０３が設けられており、加熱室１０３の下側には、高周波を発生するマグネトロン１０４と、マグネトロン１０４から発生したマイクロ波を撹搾する回転アンテナ１０５が設けられている。
【０００４】
また、加熱室１０３の後部に設けられている仕切板１０６の後方には、加熱室１０３内の空気を撹搾・循環させる循環ファン１０７と、加熱室１０３内を循環する空気を加熱するコンベクションヒータ１０８とを備えている。仕切板１０６の中央部には吸入用の吸気孔１０６ａが設けられており、仕切板１０６の周縁部には排出用の排気孔１０６ｂが設けられている。従って、加熱室１０３内の空気は、循環ファン１０７によって吸気孔１０６ａから後部へ吸い込まれ、コンベクションヒータ１０８によって加熱されて排気孔１０６ｂから加熱室１０３へ供給される。
【０００５】
加熱室１０３の奥部には、水蒸気を発生させる蒸気発生用の蒸発皿１０９が設けられており、蒸気を用いて調理する際には、加熱室１０３の壁を貫通する供給管（図示省略）を介して加熱室１０３内の蒸発皿１０９に水を供給して蒸発させ、この水がなくなると再度水を供給する動作を調理途中に数回繰り返して調理するようになっている。また、仕切板１０６の上端部には、加熱室１０３内の温度を測定するための赤外線センサ１１０が設けられている。
【特許文献１】特許第３４７３９０８号公報（第１図）
【発明の開示】
【発明が解決しようとする課題】
【０００６】
ところで、蒸気を用いた調理の際に、蒸気を大量に発生させて調理時間を短縮するためには、供給管の内径寸法を大きくすることが考えられ、出願人はこのような方法で蒸気量を増やすことを試みた。ところがこのようにして蒸気量を増やした場合、まれにマイクロ波が漏洩する場合が見られた。これの原因を究明すべく種々実験を重ねた結果、マイクロ波発振中に蒸発皿内の水がなくなってこれを蒸発皿に供給している際に発生しやすいことが判明した。そして更に検討をすめて行くと、蒸発皿に水を供給する際、加熱室壁を貫通して設けられている供給管内に充満している水及び供給管から吐出する水を介して漏波しているのではないかとの結論を得た。
【０００７】
本発明はこのような結論に基づきなしたもので、蒸気と高周波の両方を用いて調理する際に、高周波の漏波が生じない蒸気発生機能付高周波調理器を提供することを目的とする。
【課題を解決するための手段】
【０００８】
本発明の蒸気発生機能付高周波調理器は、加熱室と、前記加熱室に設けられた蒸発皿と、前記加熱室の壁を貫通して前記蒸発皿に水を供給する供給管と、前記供給管から前記蒸発皿への水の供給を制御する水供給制御手段と、前記加熱室に高周波を供給する高周波発生手段と、前記水供給制御手段及び高周波発生手段を制御する制御部とを備え、前記制御部は水供給手段を動作させて蒸発皿に水供給を行う際には前記高周波発生手段の動作を停止させる構成としたものである。
【０００９】
この構成により、蒸発皿に水を供給する際には加熱室の壁を貫通して設けられている供給管内に水が充満していても高周波が供給されていないので、漏波することはなく、蒸気量を多くしつつ漏波を防止することができる。
【発明の効果】
【００１０】
本発明は、加熱室内の蒸発皿に水を供給して蒸気を発生するタイプの機器であっても、高周波漏れを防止しつつ蒸気量を増加させることができる蒸気発生機能付高周波調理器を提供することができるものである。
【発明を実施するための最良の形態】
【００１１】
(実施の形態１)
以下、本発明の実施の形態の蒸気発生機能付高周波調理器について、図面を用いて説明する。なお、従来例と同一部分については同一番号を付記して説明は省略し、異なる部分のみ説明していく。
【００１２】
図１は本発明の実施の形態１にかかる蒸気発生機能付高周波調理器の概略斜視図、図２は供給管に水を供給する給水装置およびエアーを供給する空気供給部の構成を示す説明図、図３は動作を説明するフローチャートである。
【００１３】
図１に示すように、本実施の形態１にかかる蒸気発生機能付高周波調理器１０は、蒸発皿１０９に水を供給するための給水装置２０が設けられている。給水装置２０は、例えば加熱室１０３の側壁１０３ａに設けることができるが、これに限るものではない。但し、蒸発皿１０９から遠くない場所で、かつマグネトロン等の高周波発生手段１０４から遠い場所が望ましい。
【００１４】
図２に示すように、給水装置２０は、水を貯蔵しておくタンク２１、タンク２１の水を吸い上げて供給管２３に供給するポンプ等の水供給制御手段２２(以下ポンプと称す)、水を蒸発皿１０９に供給する供給管２３を有している。供給管２３は加熱室１０３の側壁１０３ａを貫通して先端が加熱室１０３内に突出しており、先端は蒸発皿１０９の上方に位置している。供給管２３の基端部は連絡管２４によってポンプ２２と接続されており、ポンプ２２がタンク２１の水Ｗを吸い上げて供給管２３に送り、供給管２３の先端から蒸発皿１０９に水ｗを供給する。
【００１５】
４０は制御部で、前記水供給手段２２及び高周波加熱手段である高周波発生手段であるマグネトロン１０４、回転アンテナ１０５など動作を制御するものであり、これらの動作を制御することによって高周波と水蒸気の少なくともいずれかを加熱室１０３に供給して被加熱物を加熱処理する構成としてある。
【００１６】
以下、図３を用いて水蒸気と高周波を用いた時の動作を説明する。図３は機器の動作の一部である給水プログラムのフローチャートでありこの給水プログラムは機器の運転において繰り返し実行される。まず図示しない運転スイッチをONして被加熱物の高周波加熱運転を開始すると、ステップ５０で水供給の必要性を判断、例えば、上記蒸発皿１０９の水がなくなると温度上昇することを利用して蒸発皿１０９の温度をサーミスタ等(図示せず)
でこれを検出して水供給の必要性を判断し、水供給が必要な場合にはステップ５１で高周波発生手段１０４を停止させて高周波加熱を停止する。ステップ５２に進むと水供給制御手段２２を動作させて蒸発皿１０９に水を供給し、一定量の水供給が終わるとステップ５３で水供給制御手段２２の動作を停止させ、ステップ５４に移り、高周波発生手段１０４を動作させて高周波加熱を再開する。すなわち、蒸発皿１０９への水の供給時には高周波発振を停止させるようになっており、この水供給時に供給管２３内の充満した水を介して高周波が加熱室から洩波することを防止している。なお、この実施の形態では水供給制御手段２２を停止させると供給管２３内に充満している水は、その途中に設けた空気経路２３aの存在により当該空気経路２３aより先端側では水の重力で蒸発皿１０９内に落下して空になる。よってこの供給管２３を介しての漏波は防止される。なおステップ５０で蒸発皿１０９の温度が低い場合にはすでに蒸発皿１０９に水が供給されて蒸気が発生しているとして次のステップに移行する。
【００１７】
(実施の形態２)
図４は実施の形態２の要部側面図を示す。この実施の形態２は供給管２３内に水が充満しているままの状態でも漏波しないようにしたものであり、供給管２３は加熱室壁１０９aから加熱室内への突出寸法を２５ｍｍ以内としてある。
【００１８】
すなわち、加熱室内での高周波は加熱室壁１０９aで反射を繰り返しているが、この加熱室壁１０９aで反射する高周波は１／４波長部分で最高出力となっていてこの１／４波長寸法のところに供給管２３の先端若しくは供給管２３から供給される水の先端が位置すると、高周波はこの水を介して漏波しやすくなることが種々の実験の結果、判明した。そこでこの発明では、供給管２３内の先端若しくは供給管２３から供給される水の先端までの寸法を１／４波長寸法、すなわち３０ｍｍより短くしてある。ここで、供給管２３より供給される水は図４に示すように供給管２３の先端に付着している状態が有り、この付着している水の寸法分を差し引いたり、多少なりとも電波が漏洩することがあってもこれが電波漏れ基準値以下になるようにするため、実験を重ねた結果、供給管２３の加熱室壁１０９aからの突出寸法は２５ｍｍ以内、好ましくは２０ｍｍ以内とすると、供給管２３内の水を介しての漏波を電波洩れ基準値以下に抑えることができる。
【００１９】
なお、供給間２３の突出寸法はゼロｍｍでも良いが、蒸発皿へ確実に水を供給するためには加熱室壁１０９aから若干でも突出しているのが良く、実用的には１０ｍｍ程度が好ましい。
【００２０】
(実施の形態３)
次に、供給管２３内に水が充満しているままの状態でも漏波しないようにしたものの実施の形態３について説明する。
【００２１】
図５は供給管に水を供給する給水装置の構成を示す説明図、図６（Ａ）は供給管の斜視図、図６（Ｂ）は供給管の分解斜視図、図６（Ｃ）は図６（Ａ）中Ｃ方向から見た端面図、７は供給管の取付け状態を示す断面図である。なお、前述した第１実施形態および従来技術と共通する部位には同じ符号を付して、重複する説明を省略することとする。
【００２２】
図６（Ｂ）に示すように、供給管２５は、加熱室１０３側の内部供給管２５ａと、加熱室１０３の外側の外部供給管２５ｂとから構成されており、両供給管２５ａ、２５ｂの間には取付け部材２６が設けられている。取付け部材２６は、例えば円板状のベースプレート２６ｃの中央部に、供給管２５ａ、２５ｂの内径と同じ内径の丸穴２６ｂが設けられており、この丸穴２６ｂには金属網２６ａが取付けられている。金属網２６ａのメッシュの大きさは、高周波が通過できない大きさとする。また、金属網２６ａは、図７においてはベースプレート２６ｃの板厚の中央に設けて、金属網２６ａの取付部に隙間があかないよ
うにしているが、ベースプレート２６ｃの表面に取付けるようにしてもよい。なお、供給管２５を加熱室１０３の側壁１０３ａに取付ける際には、ベースプレート２６ｃを側壁１０３ａにぴったりと取付けて、隙間があかないようにする。
【００２３】
以上のように本発明の第２実施形態にかかる蒸気発生機能付高周波調理器１０Ｂによれば、蒸気および高周波を用いて調理を行う際には、水ポンプ２２がタンク２１の水Ｗを吸い上げて供給管２３の先端から蒸発皿１０９に水ｗを供給する。このとき、供給管２５の内部に水が充填されていても、加熱室１０３から供給管２５に侵入した高周波は、金属網２６ａによって遮断されるので、供給管２３からの漏波を防止することができる。
【００２４】
なお、本発明の蒸気発生機能付高周波調理器は、前述した各実施形態に限定されるものでなく、適宜な変形，改良等が可能である。
【産業上の利用可能性】
【００２５】
以上のように、本発明にかかる蒸気発生機能付高周波調理器は、加熱室の壁を貫通して設けられている供給管に、空気供給部によって間欠的に空気が供給されている。このため、この空気が高周波を遮断するので、水が供給管に満杯のときのように、水を介して高周波が漏波するのを防止することができるという効果を有し、蒸気を用いて被加熱物を加熱する蒸気発生機能付高周波調理器等として有用である。
【図面の簡単な説明】
【００２６】
【図１】本発明の実施の形態１にかかる蒸気発生機能付高周波調理器の概略斜視図
【図２】同実施の形態１の供給管に水を供給する給水装置とエアーを供給する空気供給部の構成を示す説明図
【図３】同実施の形態１の動作を説明するフローチャート
【図４】同実施の形態２における加熱室の側壁を貫通して水を供給する供給管の側面図
【図５】同実施の形態２における供給管に水を供給する給水装置の構成を示す説明図
【図６】（Ａ）同供給管の斜視図、（Ｂ）同供給管の分解斜視図、（Ｃ）図５（Ａ）中Ｃ方向から見た端面図
【図７】同供給管の取付け状態を示す断面図
【図８】従来の蒸気発生機能付高周波調理器の概略斜視図
【符号の説明】
【００２７】
１０  蒸気発生機能付高周波調理器
２３、２５  供給管
２６ａ  金属網
３０  空気供給部
１０３  加熱室
１０９  蒸発皿
１０９ａ  側壁（壁）
【図１】
2008249167.tif 000003
【図２】
2008249167.tif 000004
【図３】
2008249167.tif 000005
【図４】
2008249167.tif 000006
【図５】
2008249167.tif 000007
【図６】
2008249167.tif 000008
【図７】
2008249167.tif 000009
【図８】
2008249167.tif 000010